(57)【特許請求の範囲】
【請求項１】
給水管から壁に固定された止水栓を経由して供給される水を加熱して吐出する本体部と、
前記本体部を壁に固定するための固定部材と、を備え、
前記固定部材は、前記止水栓と前記本体部の給水部とが直接接続されるよう、前記本体部と壁との距離を調整可能に前記本体部を壁に固定し、
前記本体部は、前記止水栓と前記固定部材により下方から支持されることを特徴とする温水器。
【請求項２】
前記本体部と前記止水栓とを覆うカバーを備えることを特徴とする請求項１に記載の温水器。
【請求項３】
前記固定部材は、板状部を有し、
前記板状部には、壁に垂直な方向に延在するスリットが形成されており、
前記固定部材は、前記板状部により前記本体部を支持するとともに、前記スリットを通る締結部材により前記板状部に前記本体部を固定することによって、前記本体部と壁との距離を調整可能に前記本体部を壁に固定することを特徴とする請求項１または２に記載の温水器。
【発明の詳細な説明】
【技術分野】
【０００１】
本発明は、温水器に関し、特に壁に取り付けられる温水器に関する。
【背景技術】
【０００２】
壁に取り付けられる温水器が知られている。この温水器の多くは、給水部と、壁に設けられた止水栓と、を連結管によりつないでいる。従来では、例えば特許文献１に記載されるような温水器が提案されている。
【先行技術文献】
【特許文献】
【０００３】
【特許文献１】特開２０１２−１１２５９７号公報
【発明の概要】
【発明が解決しようとする課題】
【０００４】
上述した従来の温水器では、施工時に、給水部と止水栓とを連結管で接続する作業が発生する。これは施工作業者にとっては手間となる。
【０００５】
本発明はこうした状況に鑑みてなされたものであり、その目的は、施工の手間を減らしうる温水器を提供することにある。
【課題を解決するための手段】
【０００６】
上記課題を解決するために、本発明のある態様の温水器は、給水管から止水栓を経由して供給される水を加熱して吐出する本体部と、本体部を壁に固定するための固定部材と、を備える。固定部材は、止水栓と本体部の給水部とが直接接続されるよう、本体部と壁との距離を調整可能に本体部を壁に固定する。
【０００７】
この態様によると、本体部と壁との距離を調整可能に本体部は壁に固定される。そのため、本体部の給水部と止水栓とを直接接続することが可能となり、給水部と止水栓とを連結管で接続する作業が不要になる。その結果、施工の手間が減る。
【０００８】
本体部と止水栓とを覆うカバーを備えてもよい。この場合、本体部と止水栓とが外部から視認されなくなるため、温水器の見栄えが向上する。
【０００９】
固定部材は、板状部を有してもよい。板状部には、壁に垂直な方向に延在するスリットが形成されており、固定部材は、板状部により本体部を支持するとともに、スリットを通る締結部材により板状部に本体部を固定することによって、本体部と壁との距離を調整可能に本体部を壁に固定してもよい。この場合、本体部と壁との距離をスリットの延在方向において調整可能に本体部は壁に固定される。
【００１０】
なお、以上の構成要素の任意の組み合わせや、本発明の構成要素や表現を方法、装置、システムなどの間で相互に置換したものもまた、本発明の態様として有効である。
【発明の効果】
【００１１】
本発明によれば、施工の手間を減らしうる温水器を提供できる。
【図面の簡単な説明】
【００１２】
【図１】実施の形態に係る温水器を含む吐水システムを示す斜視図である。
【図２】実施の形態に係る温水器を示す正面図である。
【図３】実施の形態に係る温水器を示す側面図である。
【図４】実施の形態に係る温水器を上方から見た斜視図である。
【図５】実施の形態に係る温水器を下方から見た斜視図である。
【図６】実施の形態に係る温水器を上方から見た斜視図である。
【発明を実施するための形態】
【００１３】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１４】
図１は、実施の形態に係る温水器１０を含む吐水システム１００を示す斜視図である。吐水システム１００は、洗面所やトイレなどに設置され、手洗いなどに使用される。吐水システム１００は、温水器１０と、水栓１２と、洗面器１４と、人体検知センサ１６と、を備える。人体検知センサ１６は、水栓１２に取り付けられる。なお、人体検知センサ１６は、洗面器１４やその他の場所に取り付けられてもよい。人体検知センサ１６は、水栓１２の吐水口１２ａの下方の領域に差し出される使用者の手を非接触で検知する。人体検知センサ１６は、手を検知している間、ケーブル１８を経由して温水器１０に信号を送る。
【００１５】
温水器１０は、壁に取り付けられる。温水器１０は、人体検知センサ１６が手を検知している間、水栓１２にホース２０を介して水を供給する。温水器１０は特に、給水管（不図示）から止水栓（図１では不図示）を経由して供給される水を温めてから水栓１２に供給する。水栓１２は、温水器１０において温められた水を吐水口１２ａから吐水する。洗面器１４は、壁に取り付けられる。洗面器１４は、水栓１２から吐水された水を受けて排水管（不図示）へ排水する。
【００１６】
図２〜５はそれぞれ、温水器１０の正面図、側面図、上方から見た斜視図、下方から見た斜視図である。図２〜５では、温水器１０の固定状態を示すため、カバーが取り外された状態が示される。図６は、温水器１０を上方から見た斜視図である。図６では、カバーが取り付けられた状態が示される。図６は図４に対応する。
【００１７】
温水器１０は、第１固定部材３０と、第２固定部材４０と、本体部５０と、カバー６０と、を含む。第１固定部材３０は、アルミニウムやステンレスなどの金属材料により形成される。なお、第１固定部材３０は、樹脂材料により形成されてもよい。第１固定部材３０は、Ｌ字に屈曲した板状の部材であり、第１取付部３２と、第１取付部３２と略直交する第１支持部３４とを有する。第１固定部材３０は、第１取付部３２が壁に固定されることによって、壁に固定される。第１固定部材３０は特に、第１支持部３４の各主面３４ａ、３４ｂが水平面と実質的に平行となるよう取り付けられる。第１支持部３４は平面視で略長方形状を有する。第１支持部３４には、第１支持部３４の延在方向（すなわち壁に垂直な方向）に延びる第１スリット３４ｃが形成されている。
【００１８】
第２固定部材４０は、アルミニウムやステンレスなどの金属材料により形成される。なお、第２固定部材４０は、樹脂材料により形成されてもよい。第２固定部材４０は、Ｌ字に屈曲した板状の部材であり、第２取付部４２と、第２取付部４２と略直交する第２支持部４４とを有する。第２固定部材４０は、第２取付部４２が壁に固定されることによって、壁に固定される。第２固定部材４０は特に、第２支持部４４の各主面４４ａ、４４ｂが水平面および壁面と略直交するよう取り付けられる。第２支持部４４は側面視で略長方形状を有する。第２支持部４４には、第２支持部４４の延在方向（すなわち壁に垂直な方向）に延びる第２スリット４４ｃが形成されている。
【００１９】
本体部５０は、略直方体の形状を有する。本体部５０の下部には、上側に窪んだ第１凹部５０ａが形成されている。また本体部５０の上部には下側に窪んだ第２凹部５０ｂが形成されている。第１凹部５０ａと第２凹部５０ｂとは鉛直方向で対向する。第１凹部５０ａには、止水栓７０から水の供給を受ける給水部５２が収容される。給水部５２は止水栓７０と直接接続される。給水部５２は特に、止水栓７０に乗った状態で上から止水栓７０に接続される。給水部５２と止水栓７０との接続部分は接続部材５３によって環囲される。接続部材５３は、給水部５２と止水栓７０とが互いに離れないよう係止する。第２凹部５０ｂには、本体部５０から外部に水を供給するための吐水部５４が収容される。
【００２０】
本体部５０は、その下面５０ｃが第１支持部３４に支持され、そこで固定される。本体部５０は、２つのネジ８０により第１支持部３４に固定される。また、本体部５０は、側面５０ｄが第２支持部４４に固定される。本体部５０は、ネジ８２により第２支持部４４に固定される。
【００２１】
ここで、止水栓７０にはネジが切られており、これを壁に締め込むことにより、止水栓７０は壁に固定される。したがって、止水栓７０の締め込み具合により、止水栓７０の接続口の壁面からの距離は変化する。そのため、建屋ごとでその距離が異なる場合がある。従来は、止水栓７０と給水部５２とを連結管で接続することにより、この差異を吸収していた。
【００２２】
これに対し、本実施の形態では、本体部５０の壁からの距離を調整することにより、上述の差異を吸収する。具体的には、第１支持部３４には２つのネジ８０の通し穴となる第１スリット３４ｃが形成されている。また、第２支持部４４にはネジ８２の通り穴となる第２スリット４４ｃが形成されている。つまり、第１支持部３４および第２支持部４４にはネジ穴がスリット状に形成されている。したがって、このスリットの範囲内（すなわち壁に垂直な方向）であれば本体部５０を移動させて固定できる。つまり、止水栓７０の接続口の壁面からの距離に合わせて、本体部５０を移動させることができる。この場合、従来のような連結管がなくても、止水栓７０と給水部５２とを接続できる。特に、止水栓７０と給水部５２とを直接接続することができる。
【００２３】
図６のカバー６０は、樹脂材料や金属材料によって背面（壁側の面）および下面が開いた箱状に形成される。カバー６０は、本体部５０と止水栓７０とを外部から視認しにくいように覆う。なお、カバー６０は、本体部５０と止水栓７０とに加えて、第１固定部材３０や第２固定部材４０も視認されないように覆ってもよい。
【００２４】
実施の形態に係る温水器１０によると、本体部５０の壁からの距離を調整することができる。そのため、止水栓７０と給水部５２とを直接接続することが可能となる。したがって、止水栓７０や給水部５２と連結管とを接続する作業が不要になり、施工作業の手間が減る。また、接続箇所が減るため漏水のリスクが低減する。また、連結管がなくなるため、見た目がすっきりする。
【００２５】
また、実施の形態に係る温水器１０によると、本体部５０は、第１固定部材３０と止水栓７０とによって支持される。そのため、本体部５０が比較的重たい場合でも壁に取り付けることができる。また、止水栓７０と第１固定部材３０とが壁に与える負荷もいずれか一方の部材で支持する場合と比べて軽減する。
【００２６】
また、実施の形態に係る温水器１０によると、本体部５０は、第１固定部材３０によって下方が壁に対して固定され、第２固定部材４０によって上部が壁に対して固定されため、本体部５０は安定する。これにより、より安定して温水器１０が横転するリスクが低減される。
【００２７】
また、実施の形態に係る温水器１０によると、本体部５０と止水栓７０とは、外部から視認しにくいように覆われる。このため、本体部５０と止水栓７０とが外部から視認されなくなるため、温水器１０の見栄えが向上する。
【００２８】
また、実施の形態に係る温水器１０によると、給水部５２は第１凹部５０ａに収容され、吐水部５４は第２凹部５０ｂに収容される。これにより、全体として略直方体形状となり、カバー６０で覆ったときの見栄えが向上する。
【００２９】
以上、実施の形態に係る吐水システムについて説明した。この実施の形態は例示であり、その各構成要素の組み合わせにいろいろな変形例が可能なこと、またそうした変形例も本発明の範囲にあることは当業者に理解されるところである。
【符号の説明】
【００３０】
１０  温水器、  １２  水栓、  １４  洗面器、  １６  人体検知センサ、  ３０  第１固定部材、  ３４ｃ  第１スリット、  ４０  第２固定部材、  ４４ｃ  第２スリット、  ５０  本体部、  ５２  給水部、  ５４  吐水部、  ６０  カバー、  ７０  止水栓、  １００  吐水システム。
【図１】
0006339453.tif 000002
【図２】
0006339453.tif 000003
【図３】
0006339453.tif 000004
【図４】
0006339453.tif 000005
【図５】
0006339453.tif 000006
【図６】
0006339453.tif 000007